(57)【要約】【課題】無駄な情報の配信や受信を回避し、有益な情報の配信・受信を可能とする情報通信端末および情報通信システムを提供すること。【解決手段】情報配信装置１００から転送可能距離を含む配信情報を受信する受信手段２０１と、情報配信装置１００からの実距離を検出する距離測定手段２０６と、実距離が転送可能距離内である場合、配信情報の転送を許可する制御手段２０９と、制御手段２０９で転送が許可された配信情報を近距離無線で送信する送信手段２１０と、を備える。【選択図】図１
2013168761.tif 000002
【特許請求の範囲】
【請求項１】
情報配信装置から転送可能距離を含む配信情報を受信する受信手段と、
前記情報配信装置からの実距離を測定する距離測定手段と、
前記実距離が前記転送可能距離内である場合、前記配信情報の転送を許可する制御手段と、
前記制御手段で転送が許可された配信情報を近距離無線で送信する送信手段と、を備えた情報通信端末。
【請求項２】
前記配信情報は、前記情報配信装置の位置情報をさらに含み、
前記距離測定手段は、当該情報通信端末の位置情報を取得し、前記情報配信装置の位置情報と、前記情報通信端末の位置情報とから前記実距離を測定する、
ことを特徴とする請求項１に記載の情報通信端末。
【請求項３】
前記情報配信装置から受信する電波強度が一定値を下回ったことを検出する検出手段と、
歩数を計測する計測手段と、をさらに備え、
前記距離測定手段は、前記検出手段で電波強度が一定値を下回ったことを検出した時点から前記計測手段による歩数の計測を開始させ、前記歩数から前記情報配信装置から前記情報通信端末までの距離を推定する、
ことを特徴とする請求項１に記載の情報通信端末。
【請求項４】
前記情報配信装置からの距離に応じて、配信情報の内容を増減させる転送情報選択手段をさらに備えた
ことを特徴とする請求項１に記載の情報通信端末。
【請求項５】
前記転送情報選択手段は、前記情報配信装置からの距離が所定値より近い場合には、配信情報の中に時間的制限のある情報を追加する、
ことを特徴とする請求項４に記載の情報通信端末。
【請求項６】
前記転送情報選択手段は、前記情報配信装置からの距離が所定値より近い場合には、配信情報の中から店舗を探すために必要な情報を削除する、
ことを特徴とする請求項４に記載の情報通信端末。
【請求項７】
前記転送情報選択手段は、前記情報配信装置からの距離が所定値より遠い場合には、配信情報の中に店舗を探すために必要な情報を追加する、
ことを特徴とする請求項４に記載の情報通信端末。
【請求項８】
前記転送情報選択手段は、前記情報配信装置からの距離が所定値より遠い場合には、配信情報の中に時間的制限のある情報を削除する、
ことを特徴とする請求項４に記載の情報通信端末。
【請求項９】
複数の配信情報の表示順序を指定する表示順序決定手段をさらに備え、
前記表示順序決定手段は、前記情報配信装置からの距離に応じて、前記複数の配信情報の表示順序を変化させる、
ことを特徴とする請求項１に記載の情報通信端末。
【請求項１０】
前記表示順序決定手段は、前記情報配信装置からの距離が所定値より近い場合には、前記複数の配信情報のうち、時間的制限のある配信情報を表示順序の上位に設定し、店舗を探すために必要な配信情報を表示順序の下位に設定する、
ことを特徴とする請求項９に記載の情報通信端末。
【請求項１１】
前記表示順序決定手段は、前記情報配信装置からの距離が所定値より遠い場合には、店舗を探すために必要な配信情報を表示順序の上位に設定し、時間的制限のある配信情報を表示順序の下位に設定する、
ことを特徴とする請求項９に記載の情報通信端末。
【請求項１２】
第１の情報通信端末と第２の情報通信端末とからなる情報通信システムであって、
前記第１の情報通信端末は、
情報配信装置から転送可能距離を含む配信情報を受信する受信手段と、
前記情報配信装置からの実距離を測定する距離測定手段と、
前記実距離が前記転送可能距離内である場合、前記配信情報の転送を許可する制御手段と、
前記制御手段で転送が許可された配信情報を近距離無線で送信する送信手段と、
を備え、
前記第２の情報通信端末は、
前記第１の情報通信端末から複数の配信情報を受信する受信手段と、
前記複数の配信情報の表示順序を前記情報配信装置からの距離に応じて変化させる表示順序決定手段と、
前記表示順序決定手段で決定された表示順序にもとづき、前記複数の配信情報を表示する表示手段と、
を備えた情報通信システム。
【請求項１３】
前記表示順序決定手段は、前記情報配信装置からの距離が所定値より近い場合には、前記複数の配信情報のうち、時間的制限のある配信情報を表示順序の上位に設定し、店舗を探すために必要な配信情報を表示順序の下位に設定する、
ことを特徴とする請求項１２に記載の情報通信システム。
【請求項１４】
前記表示順序決定手段は、前記情報配信装置からの距離が所定値より遠い場合には、店舗を探すために必要な配信情報を表示順序の上位に設定し、時間的制限のある配信情報を表示順序の下位に設定する、
ことを特徴とする請求項１２に記載の情報通信システム。
【発明の詳細な説明】
【技術分野】
【０００１】
本発明は、近距離無線通信手段を備えた情報通信端末および情報通信システムに関し、特に広告などの情報を転送可能にする情報通信端末および情報通信システムに関する。
【背景技術】
【０００２】
近年、Ｗｉ−Ｆｉ（登録商標）などの近距離無線通信技術を利用することにより、店舗から近隣にいるユーザが保有する情報通信端末に、広告などの店舗情報を配信するサービスが可能となっている。
【０００３】
また、情報通信端末側が受け取る情報を一定条件でフィルタリングし、無駄な情報の配信を制限する技術が、例えば、特許文献１に開示されている。
【０００４】
特に、特許文献１に記載の従来技術は、情報通信端末が店舗などの情報配信元から受信した配信情報を、他の情報通信端末に近距離無線で配信する際に、情報の転送回数や情報配信元から情報を得てからの時間を利用して、転送する情報に制限をかけ、不要な情報を転送することを防いでいる。
【先行技術文献】
【特許文献】
【０００５】
【特許文献１】特開２００３−１６３４７号公報
【発明の概要】
【発明が解決しようとする課題】
【０００６】
しかしながら、上述の転送回数を利用した制限では、例えば、設定された転送回数が多い場合、転送回数が上限に達するまで時間がかかり、情報通信端末と情報配信元の距離が広がっても転送の制限がかからない。したがって、情報配信元が期待していない、遠方に存在する他の情報通信端末に無駄な情報が転送されてしまうおそれがある。
【０００７】
また、上述の情報配信元から情報を得てからの時間を利用した制限では、例えば、食事などで、ユーザが一箇所に長時間留まっている場合、配信情報が有効な場所にいても情報の転送に制限がかかることになる。逆に、情報通信端末を保有するユーザが電車などで短時間に遠距離へ移動した場合、情報配信元の店舗から距離が遠くなるにもかかわらず情報転送の制限がかからず、転送を受ける側の情報通信端末に有益ではない情報を転送することになる。
【０００８】
本発明は係る事情に鑑みてなされたものであり、無駄な情報の配信や受信を回避し、有益な情報の配信・受信を可能とする情報通信端末および情報通信システムを提供することを目的とする。
【課題を解決するための手段】
【０００９】
本発明の情報通信端末は、情報配信装置から転送可能距離を含む配信情報を受信する受信手段と、前記情報配信装置からの実距離を測定する距離測定手段と、前記実距離が前記転送可能距離内である場合、前記配信情報の転送を許可する制御手段と、前記制御手段で転送が許可された配信情報を近距離無線で送信する送信手段と、を備える。
【００１０】
この構成により、情報配信装置から情報通信端末までの距離により、情報配信装置から配信された情報を他の情報通信端末へ送信するべきか判断することが可能となる。したがって、例えば、情報配信装置から遠く離れた情報通信端末への無駄な情報送信を回避し、有益な情報の配信を行うことができる。
【００１１】
また、本発明の情報通信端末は、前記配信情報が、前記情報配信装置の位置情報をさらに含み、前記距離測定手段は、当該情報通信端末の位置情報を取得し、前記情報配信装置の位置情報と、前記情報通信端末の位置情報とから前記実距離を測定する、構成を有する。
【００１２】
この構成により、情報配信装置から情報通信端末までの距離を正確に測定することができる。
【００１３】
また、本発明の情報通信端末は、前記情報配信装置から受信する電波強度が一定値を下回ったことを検出する検出手段と、歩数を計測する計測手段と、をさらに備え、前記距離測定手段は、前記検出手段で電波強度が一定値を下回ったことを検出した時点から前記計測手段による歩数の計測を開始させ、前記歩数から前記情報配信装置から前記情報通信端末までの距離を推定する構成を有する。
【００１４】
この構成により、位置情報が取得できない場所に前記情報通信端末がいる場合でも、前記情報配信装置からの距離を歩数によって推定することが可能となり、情報配信装置から配信された情報を他の情報通信端末へ送信するべきか判断することができる。
【００１５】
また、本発明の情報通信端末は、前記情報配信装置からの距離に応じて、配信情報の内容を増減させる転送情報選択手段をさらに備えた構成を有する。
【００１６】
この構成により、前記情報配信装置から配信された情報を、前記情報通信端末が他の情報通信端末に送信する際に、より広告効果もしくは配信される情報通信端末にとって重要な情報を配信することができる。
【００１７】
また、本発明の情報通信端末は、前記転送情報選択手段が、前記情報配信装置からの距離が所定値より近い場合には、配信情報の中に時間的制限のある情報を追加する、構成を有する。
【００１８】
この構成により、前記情報通信端末が他の情報通信端末に対して、前記情報配信装置からの距離が近いことによる配信効果の高い、時間的制限のある情報（例えば、タイムセール情報など）を配信することが可能となる。これにより、配信先の情報通信端末にとって、より有益な情報の配信を行うことができる。
【００１９】
また、本発明の情報通信端末は、前記転送情報選択手段が、前記情報配信装置からの距離が所定値より近い場合には、配信情報の中から店舗を探すために必要な情報を削除する、構成を有する。
【００２０】
この構成により、前記情報通信端末が他の情報通信端末に対して、前記情報配信装置からの距離が近いことにより配信が不要であると考えられる情報の配信を避けることができる。
【００２１】
また、本発明の情報通信端末は、前記転送情報選択手段が、前記情報配信装置からの距離が所定値より遠い場合には、配信情報の中に店舗を探すために必要な情報を追加する、構成を有する。
【００２２】
この構成により、前記情報通信端末が他の情報通信端末に対して、前記情報配信装置からの距離が遠いことより有益である考えられる情報（例えば、店舗の位置情報など）を配信することが可能となる。これにより、配信先の情報通信端末に対してより有益な情報を配信することができる。
【００２３】
また、本発明の情報通信端末は、前記転送情報選択手段が、前記情報配信装置からの距離が所定値より遠い場合には、配信情報の中に時間的制限のある情報を削除する、構成を有する。
【００２４】
この構成により、前記情報通信端末が他の情報通信端末に対して、前記情報配信装置からの距離が遠いことにより配信が不要であると考えられる情報（例えば、時間的制限のあるタイムセール情報など）の配信を避けることができる。
【００２５】
また、本発明の情報通信端末は、複数の配信情報の表示順序を指定する表示順序決定手段をさらに備え、前記表示順序決定手段は、前記情報配信装置からの距離に応じて、前記複数の配信情報の表示順序を変化させる、構成を有する。
【００２６】
この構成により、前記情報配信装置から配信された情報を、前記情報通信端末が送信する際に、より広告効果が高い、もしくは送信先の情報通信端末にとって重要な情報と、重要度の低い情報とを優先順位をつけて表示することができる。これにより、送信先の情報通信端末を持つユーザに対して、有益な情報を優先して確認させることができる。
【００２７】
また、本発明の情報通信端末は、前記表示順序決定手段が、前記情報配信装置からの距離が所定値より近い場合には、前記複数の配信情報のうち、時間的制限のある配信情報を表示順序の上位に設定し、店舗を探すために必要な配信情報を表示順序の下位に設定する、構成を有する。
【００２８】
この構成により、前記情報配信装置からの距離が近いことによる配信効果の高い、時間的制限のある情報（例えば、タイムセール情報など）を、送信先の情報通信端末の表示手段の上位に表示することができる。また、距離が近いことによる配信効果、要望の低いと考えられる情報（例えば、店舗の位置情報など）は表示手段の下位に表示することができる。これにより、送信先の情報通信端末ユーザに対して、有益な情報を優先して確認させることができる。
【００２９】
また、本発明の情報通信端末は、前記表示順序決定手段が、前記情報配信装置からの距離が所定値より遠い場合には、店舗を探すために必要な配信情報を表示順序の上位に設定し、時間的制限のある配信情報を表示順序の下位に設定する、構成を有する。
【００３０】
この構成により、前記情報配信装置からの距離が遠いことによる配信効果の高い情報（例えば、店舗を探すための位置情報など）を、送信先の情報通信端末の表示手段の上位に表示することができる。また、距離が遠いことによる配信効果、要望の低いと考えられる時間的制限のある情報（例えば、タイムセール情報など）を表示手段の下位に表示することができる。これにより、送信先の情報通信端末ユーザに対して、有益な情報を優先して確認させることができる。
【００３１】
また、情報通信システムは、第１の情報通信端末と第２の情報通信端末とからなり、前記第１の情報通信端末は、情報配信装置から転送可能距離を含む配信情報を受信する受信手段と、前記情報配信装置からの実距離を測定する距離測定手段と、前記実距離が前記転送可能距離内である場合、前記配信情報の転送を許可する制御手段と、前記制御手段で転送が許可された配信情報を近距離無線で送信する送信手段と、を備え、前記第２の情報通信端末は、前記第１の情報通信端末から複数の配信情報を受信する受信手段と、前記複数の配信情報の表示順序を前記情報配信装置からの距離に応じて変化させる表示順序決定手段と、前記表示順序決定手段で決定された表示順序にもとづき、前記複数の配信情報を表示する表示手段と、を備えた構成を有する。
【００３２】
この構成により、より広告効果もしくは第２の情報通信端末にとって重要な情報と、重要度の低い情報とを優先順位をつけて表示することができる。これにより、第２の情報通信端末を持つユーザに対して、有益な情報を優先して確認させることができる。
【００３３】
また、本発明の情報通信システムは、前記表示順序決定手段が、前記情報配信装置からの距離が所定値より近い場合には、前記複数の配信情報のうち、時間的制限のある配信情報を表示順序の上位に設定し、店舗を探すために必要な配信情報を表示順序の下位に設定する、構成を有する。
【００３４】
この構成により、第１の情報通信端末から第２の情報通信端末に送信された配信情報の中から、前記情報配信装置からの距離が近いことによる配信効果の高い、時間的制限のある情報（例えば、タイムセール情報など）を表示手段の上位に表示することができる。また、距離が近いことによる配信効果、要望が低いと考えられる情報（例えば、店舗を探すための位置情報など）を、第２の情報通信端末の表示手段の下位に表示することができる。これにより、第２の情報通信端末を持つユーザにとって、有益な情報を優先して確認させることができる。
【００３５】
また、本発明の情報通信システムは、前記表示順序決定手段が、前記情報配信装置からの距離が所定値より遠い場合には、店舗を探すために必要な配信情報を表示順序の上位に設定し、時間的制限のある配信情報を表示順序の下位に設定する、構成を有する。
【００３６】
この構成により、第１の情報通信端末から第２の情報通信端末に送信された配信情報の中から、前記情報配信装置からの距離が遠いことによる配信効果の高い情報（例えば、店舗を探すための位置情報など）を、第２の情報通信端末の表示手段の上位に表示することができる。また、距離が遠いことによる配信効果、要望の低いと考えられる時間的制限のある情報（例えば、タイムセール情報など）を第２の情報通信端末の表示手段の下位に表示することができる。これにより、第２の情報通信端末を持つユーザに対して、有益な情報を優先して確認させることができる。
【発明の効果】
【００３７】
本発明によれば、無駄な情報の配信や受信を回避し、有益な情報の配信・受信を可能とすることができる。
【図面の簡単な説明】
【００３８】
【図１】本発明の実施の形態１にかかる情報配信装置および情報通信端末の構成を示すブロック図
【図２】本発明の実施の形態１にかかる情報配信装置および情報通信端末の動作の一例を示す図
【図３】本発明の実施の形態１および実施の形態２にかかる情報配信装置および情報通信端末の動作の一例を示す図
【図４】本発明の実施の形態１にかかる情報通信端末の動作の一例（位置情報を利用した距離測定）を示すフローチャート
【図５】本発明の実施の形態１にかかる情報通信端末の動作の一例（歩数を利用した距離測定）を示すフローチャート
【図６】本発明の実施の形態１にかかる情報通信端末の動作の一例（位置情報を利用した距離測定および配信情報の一部削除）を示すフローチャート
【図７】本発明の実施の形態１にかかる情報通信端末の動作の一例（歩数を利用した距離測定および配信情報の一部削除）を示すフローチャート
【図８】本発明の実施の形態１にかかる情報通信端末の動作の一例（位置情報を利用した距離測定および配信情報の表示順序制御）を示すフローチャート
【図９】本発明の実施の形態１にかかる情報通信端末の動作の一例（歩数を利用した距離測定および配信情報の表示順序制御）を示すフローチャート
【図１０】本発明の実施の形態２にかかる情報配信装置、第１の情報通信端末および第２の情報通信端末の構成を示すブロック図
【図１１】本発明の実施の形態２にかかる情報通信端末の動作の一例（位置情報を利用した距離測定）を示すフローチャート
【図１２】本発明の実施の形態２にかかる第２の情報通信端末の動作の一例を示すフローチャート
【図１３】本発明の実施の形態２にかかる情報通信端末の動作の一例（歩数を利用した距離測定）を示すフローチャート
【発明を実施するための形態】
【００３９】
以下、本発明の実施の形態について、図面を参照して詳細に説明する。
【００４０】
（実施の形態１）
図１は、本発明の実施の形態１に係る情報配信装置および情報通信端末の主要な構成を示すブロック図である。
【００４１】
本発明の実施の形態１では、店舗に設置された情報配信装置が近距離無線通信を介して、配信情報（店舗の広告情報など）を周囲の情報通信端末に配信し、当該配信情報を受信した情報通信端末が他の情報通信端末に対して、当該配信情報を転送する場合を例にとって説明する。
【００４２】
なお、情報配信装置は、例えば、店舗に設置された近距離無線通信機能を備えたサーバであり、情報通信端末は、例えば、携帯電話として以下の説明を行う。
【００４３】
図１のとおり、情報配信装置１００は、記憶手段１０１と配信情報送信手段１０２を有する。
【００４４】
記憶手段１０１は、情報配信装置１００が配信する配信情報を記憶している。具体的には、店舗の広告情報のほかに、店舗または情報配信装置１００の住所や緯度経度の位置情報、配信情報の転送可能距離情報、電話番号、営業時間など、店舗に関する複数の情報が含まれている。
【００４５】
配信情報送信手段１０２は、例えば、無線ＬＡＮ、Ｂｌｕｅｔｏｏｔｈ（登録商標）などの近距離無線通信により、店舗の周辺エリアへ記憶手段１０１に記憶された配信情報を送信する。
【００４６】
また、図１のとおり、情報通信端末２００は、受信手段２０１、記憶手段２０２、位置情報取得手段２０３、計測手段２０４、検出手段２０５、距離測定手段２０６、転送情報選択手段２０７、表示順序決定手段２０８、制御手段２０９、送信手段２１０を有する。
【００４７】
受信手段２０１は、例えば、無線ＬＡＮ、Ｂｌｕｅｔｏｏｔｈ（登録商標）などの近距離無線通信により、情報配信装置１００から送信された配信情報を受信する。
【００４８】
記憶手段２０２は、受信手段２０１で受信した配信情報を記憶する。
【００４９】
位置情報取得手段２０３は、例えば、ＧＰＳ（Ｇｒｏｂａｌ  Ｐｏｓｉｔｉｏｎｉｎｇ  Ｓｙｓｔｅｍ）を利用して、情報通信端末２００の緯度経度の位置情報を得るものとする。
【００５０】
計測手段２０４は、情報通信端末２００をもつユーザの歩数を計測する。例えば、情報通信端末２００の加速度から所定の上下運動を検出して歩数を計測することができる。
【００５１】
検出手段２０５は、情報通信端末２００をもつユーザの歩数の計測を開始するタイミングを検出する。詳細は後述する。
【００５２】
距離測定手段２０６は、位置情報取得手段２０３、または、計測手段２０４および検出手段２０５で得られた、情報通信端末２００の位置情報や距離情報を用いて、情報配信装置１００と情報通信端末２００との間の距離を測定する。
【００５３】
転送情報選択手段２０７は、距離測定手段２０６で測定した情報配信装置１００から情報通信端末２００までの距離によって、記憶手段２０２に記憶してある配信情報のいずれを他の情報通信端末に転送するか選択する。
【００５４】
表示順序決定手段２０８は、距離測定手段２０６で測定した情報配信装置１００から情報通信端末２００までの距離によって、記憶手段２０２に記憶してある配信情報を他の情報通信端末上で表示させるときの表示順序を決定する。
【００５５】
制御手段２０９は、距離測定手段２０６で測定した情報配信装置１００から情報通信端末２００までの距離によって、記憶手段２０２に記憶してある配信情報を他の情報通信端末へ転送するかどうかを決定する。
【００５６】
送信手段２１０は、例えば、無線ＬＡＮ、Ｂｌｕｅｔｏｏｔｈ（登録商標）などの近距離無線通信により、情報通信端末２００から他の情報通信端末３０５に配信情報を転送する。
【００５７】
なお、位置情報取得手段２０３と、計測手段２０４および検出手段２０５とは、情報通信端末２００に同時に実装してもよいし、どちらか一組のみ実装してもよい。
【００５８】
図２〜図９を用いて、情報通信端末２００による配信情報の受信から配信情報の送信（転送）までの動作について詳細に説明する。図２および図３は、本発明の実施の形態１にかかる情報配信装置１００および情報通信端末２００の動作の一例を示す図である。また、図４〜９は、図２および図３に示した動作の一例を実現するための詳細処理を示すフローチャートである。
【００５９】
まず、図２において、情報配信装置１００は、配信情報送信手段１０２により、店舗の周辺エリアへ配信情報を送信する。ここで、配信情報の送信は、常時行ってもよいし、予め定めた周期で行ってもよい。
【００６０】
次に、情報配信装置１００から送信された配信情報の受信が可能な、情報受信可能エリア境界線３０２の内側に存在する情報通信端末２００は、受信手段２０１を介して配信情報を受信する（図２の３０１、および図４のステップａ００１）。また、記憶手段２０２は、受信手段２０１が受信した配信情報を一旦格納する（図４のステップａ００２）。
【００６１】
ここで、例えば、情報通信端末２００が図２の３０６のように移動した場合、位置情報取得手段２０３は、情報通信端末２００の位置を取得する（図４のステップａ００３）。
【００６２】
次に、距離測定手段２０６は、配信情報に含まれる店舗の位置情報と、位置情報取得手段２０３で取得した情報通信端末２００の位置情報とから距離を測定する（図４のステップａ００４）。
【００６３】
次に、情報通信端末２００の配信可能エリア境界線３０４の内側に他の情報通信端末が存在する場合、情報配信装置１００から情報通信端末２００までの距離が、配信情報に含まれる転送可能距離以内（情報転送可能エリア境界線３０３の内側）であれば（図４のステップａ００５、Ｙｅｓ）、送信手段２１０は、記憶手段２０２に記憶してある配信情報を他の情報通信端末３０５に転送する（図２の３０８、および図４のステップａ００６）。
【００６４】
また、例えば、情報通信端末２００が図２の３０７のように移動した場合、前述と同様に、位置情報取得手段２０３による情報通信端末２００の位置取得（図４のステップａ００３）、距離測定手段２０６による距離測定（図４のステップａ００４）が行われる。
【００６５】
しかしながら、情報通信端末２００の配信可能エリア境界線３０４の内側に他の情報通信端末が存在していても、情報配信装置１００から情報通信端末２００までの距離が、配信情報に含まれる転送可能距離以内（情報転送可能エリア境界線３０３の内側）でない場合（図４のステップａ００５、Ｎｏ）、送信手段２１０は、記憶手段２０２に記憶してある配信情報を他の情報通信端末３０５に転送せずに、位置の確認処理（図４のステップａ００３）に戻る。
【００６６】
この構成により、情報配信装置１００から情報通信端末２００までの距離で、情報配信装置１００から配信された情報を他の情報通信端末３０５へ転送するべきか判断することが可能となる。これにより、情報配信装置１００から遠く離れた、他の情報通信端末３０５への無駄な配信情報の送信を回避し、有益な配信情報を送信することができる。
【００６７】
さらに、情報配信装置１００から情報通信端末２００までの距離を正確に測定することが可能となるため、情報配信装置１００からの距離によって情報通信端末２００への配信情報の送信可否を高い精度で判断することができる。したがって、情報配信装置１００から遠く離れた、他の情報通信端末３０５への無駄な配信情報の送信を防ぐ効果をさらに向上させることができる。
【００６８】
なお、情報通信端末２００が情報転送可能エリア境界線３０３の内側にいると判断する手段としては、以下の方法を用いてもよい。図５を用いて説明する。
【００６９】
まず、情報通信端末２００の検出手段２０５は、情報配信装置１００からの電波受信強度を検出する（図５のステップｂ００３）。
【００７０】
次に、検出された電波強度が所定値よりも低い場合（図５のステップｂ００４）、計測手段２０４は、情報通信端末２００をもつユーザの歩数計測を開始する（図５のステップｂ００５）。
【００７１】
次に、歩数から情報配信装置１００と情報通信端末２００との距離を測定する（図５のステップｂ００６）。具体的には、計測手段２０４で計測した歩数と、ユーザの歩幅を掛け合わせた値を、情報配信装置１００と情報通信端末２００の距離とする。ここで利用するユーザの歩数は、固定値でもよいし、ユーザが任意で変更できる値でも良い。
【００７２】
次に、配信情報に含まれる転送可能距離情報と、歩数から求めた距離とにより、情報通信端末２００が情報転送可能エリア境界線３０３の内側にいる場合（図５のステップａ００５、Ｙｅｓ）、送信手段２１０は、他の情報通信端末３０５に配信情報を転送する（図５中のステップａ００６）。一方、情報通信端末２００が情報転送可能エリア境界線３０３の外側にいる場合（図５のステップａ００５、Ｎｏ）、歩数から距離を計測する処理（図５のステップｂ００５）に戻る。
【００７３】
この構成により、情報通信端末２００が位置情報を取得できない場所にいる場合でも、情報配信装置１００からの距離を歩数によって推定でき、情報配信装置１００から配信された配信情報を他の情報通信端末３０５へ転送するべきか判断することができる。これにより、情報通信端末２００が自身の位置情報を取得できない場合でも、情報配信装置１００から遠く離れた、他の情報通信端末３０５への無駄な配信情報の送信を防ぐことができる。
【００７４】
なお、また、情報通信端末２００が記憶している配信情報を他の情報通信端末３０５に転送する前に、実際に転送する情報を取捨選択してもよい。
【００７５】
この構成により、情報配信装置１００から受信した配信情報を、情報通信端末２００が他の情報通信端末３０５に転送する際に、より広告効果もしくは配信される情報通信端末にとって重要な情報を配信することができ、また、無駄な情報の配信を防ぐことができる。
【００７６】
図３および図６を用いて、具体的な動作について説明する。
【００７７】
まず、図３における内容変更境界線４００について説明する。内容変更境界線４００は、図２で示した情報受信可能エリア境界線３０２と情報転送可能エリア境界線３０３の間に設定される。
【００７８】
また、内容変更境界線４００は、情報通信端末２００が、情報配信装置１００から受信した配信情報を他の情報通信端末３０５に転送するときに、内容を変化させる位置を示している。
【００７９】
この動作には、情報通信端末２００が、情報転送可能エリア境界線３０３の内側にいると判断する時（図６のステップａ００５）に用いた距離を利用する。
【００８０】
この距離がさらなる所定値（例えば、図３の情報配信装置１００から内容変更境界線４００までの距離）を下回る場合（図６のステップｃ００６、Ｙｅｓ）、転送情報選択手段２０７を利用して、他の情報通信端末３０５に転送する配信情報の内容を変化させる。つまり、情報通信端末２００が、内容変更境界線４００の内側にいる場合、配信情報の内容を変化させる。
【００８１】
具体的には、情報配信装置１００から受信した配信情報のうち、時間的制限のある情報（例えば、タイムセール情報など）は、他の情報通信端末３０５に転送すると決定する。一方、店舗のそばにいるときには不要と考えられる情報（例えば、店舗を探すために必要な住所や地図情報などの情報）は削除すると決定する（図６のステップｃ００７）。そして、送信手段２１０は、転送情報選択手段２０７で選択した情報のみを送信する（図６のステップａ００６）。
【００８２】
この構成により、情報通信端末２００が他の情報通信端末３０５に情報を転送する際に、情報配信装置１００からの距離が近いことにより配信が不要であると考えられる情報の配信を避けることができる。これにより、配信先の他の情報通信端末３０５に対して無駄な情報の配信を防ぐことができる。
【００８３】
さらに、情報通信端末２００が内容変更境界線４００の外側にいる場合、転送情報選択手段２０７は、他の情報通信端末３０５に転送する情報に、前述の店舗を探すために必要な情報を含め、時間的制限のある情報は削除することに決定する（図６のステップｃ００８）。そして、送信手段２１０は、転送情報選択手段２０７で選択した情報のみを送信する（図６のステップａ００６）。
【００８４】
この構成により、情報通信端末２００が他の情報通信端末３０５に情報を転送する際に、情報配信装置１００からの距離が遠いことにより、より有益である考えられる情報を配信することができる。
【００８５】
また、情報配信装置１００からの距離が遠いことにより配信が不要であると考えられる情報（例えば、時間的制限のあるタイムセールなどの情報）の配信を避けることができる。これにより、配信先の他の情報通信端末３０５に対して無駄な情報の配信を防ぐ効果がある。
【００８６】
なお、情報通信端末２００が情報転送可能エリア境界線３０３の外側に存在すると判断した場合には、上述の転送情報選択手段２０７を利用した配信情報の取捨選択および他の情報通信端末３０５への配信情報の送信は行わない。
【００８７】
なお、また、店舗などの情報配信装置１００と、情報通信端末２００との距離を測定する方法が、前述の歩数を利用した計測であり、かつ、他の情報通信端末３０５に転送する情報を、歩数から計測した距離を使って、前述のように取捨選択してもよい。具体的には、店舗から所定距離内にいる場合は、時間的に制限のある情報を含めて位置に関する情報を削除し、店舗から所定距離外にいる場合は、位置に関する情報を含め時間的制限のある情報を削除する。（図７のステップａ００１〜ａ００６）。
【００８８】
この構成により、情報通信端末２００がＧＰＳなどの距離測定手段を持たない場合でも、情報配信装置１００からの距離を測定することが可能となり、他の情報通信端末３０５に転送する配信情報を測定した距離によって増減させることができる。したがって、ＧＰＳなどの距離測定手段がない場合でも、広告効果もしくは配信される他の情報通信端末３０５にとって重要な情報を配信することができ、また、無駄な情報の配信を防ぐことができる。
【００８９】
また、前述の他の情報通信端末３０５に配信情報を転送する際に、店舗との距離によって情報の削除を行う代わりに、情報の表示順序の指定をしてもよい。
【００９０】
具体的には、情報通信端末２００が、内容変更境界線４００の内側にいるか外側にいるかを判断する（図８のステップｃ００６）。その結果、情報通信端末２００が内容変更境界線４００の内側にいる（情報通信端末２００が情報配信装置１００の所定距離内にいる）場合には、距離が近いことによって有益な情報（例えば、タイムセール情報など）を他の情報通信端末３０５に表示する際の順序を上位に指定し、近いことによって不要と考えられる情報（例えば、店舗の位置情報など）の表示順序を下位に指定する（図８のステップｅ００７）。一方、情報通信端末２００が内容変更境界線４００の外側にいる（情報通信端末２００が情報配信装置１００の所定距離外にいる）場合には、距離が遠いことにより必要となる情報（例えば、店舗の位置情報など）の表示順序を上位に指定し、距離が遠いことによって不要となる情報（例えば、タイムセール情報など）の表示順序を下位に指定する（図８のステップｅ００８）。
【００９１】
この構成により、情報通信端末２００が配信情報を転送する際に、より広告効果が高い、もしくは送信先の他の情報通信端末３０５にとって重要な情報を送信先の他の情報通信端末３０５の表示手段の上位に表示し、重要度の低い情報を表示手段の下位に表示する。したがって、送信先の他の情報通信端末３０５を持つユーザに、有益な情報を優先して確認させることができる。
【００９２】
図３および図８を用いて、具体的な動作を説明する。
【００９３】
まず、情報通信端末２００が情報転送可能エリア境界線３０３の内側にいると判断するとき（図８のステップａ００５）に用いた距離を利用する。
【００９４】
次に、制御手段２０９は、この距離がさらなる所定値（例えば、情報配信装置１００から内容変更境界線４００までの距離）を下回るかどうか判定する（図８のステップｃ００７）。
【００９５】
そして、情報通信端末２００が情報転送可能エリア境界線３０３の内側にいて、かつ、店舗などの情報配信装置１００の所定距離内にいる場合、表示順序決定手段２０８は、他の情報通信端末３０５に送信する情報の順序を時間的制限のある情報（例えば、タイムセール情報など）を他の情報通信端末３０５の表示手段の上位に表示し、店舗のそばにいるときには不要と考えられる情報（例えば、店舗の位置情報など）の表示順序を下位に設定する。（図８のステップｅ００７）。
【００９６】
この構成により、情報配信装置１００からの距離が近いことによる配信効果の高い、時間的制限のある情報（例えば、タイムセール情報など）を、送信先の他の情報通信端末３０５の表示手段の上位に表示し、また、距離が近いことによる配信効果、要望の低いと考えられる情報（例えば、店舗の位置情報など）は表示手段の下位に表示することができる。これにより、送信先の他の情報通信端末３０５をもつユーザに、より有益な情報を優先して確認させることができる。
【００９７】
さらに、情報通信端末２００が、情報転送可能エリア内（例えば、情報配信装置１００である店舗に行くことが可能な範囲）にいるが、情報配信装置１００である店舗などからは所定値（例えば、ある程度時間をかければいける距離）よりも離れた場所にいる場合（内容変更境界線４００と情報転送可能エリア境界線３０３の間にいる場合）には、他の情報通信端末３０５に転送する情報の表示順序を変更する。
具体的には、表示順序決定手段２０８は、店舗から離れた場所にいるときに必要な情報（例えば、地図情報や住所など）は、他の情報通信端末３０５の表示手段の上位に設定し、時間的制限のある情報（例えば、タイムセール情報など）は、他の情報通信端末３０５の表示手段の下位に設定する。（図８のステップｅ００８）。
【００９８】
この構成により、情報配信装置１００から距離が遠いことによる配信効果の高い情報（例えば、店舗を探すための位置情報など）を、送信先の他の情報通信端末３０５の表示手段の上位に表示することができる。また、距離が遠いことによる配信効果、要望の低いと考えられる時間的制限のある情報（例えば、タイムセール情報など）を他の情報通信端末３０５の表示手段の下位に表示することができる。これにより、送信先の他の情報通信端末３０５をもつユーザに、より有益な情報を優先して確認させることができる。
【００９９】
なお、また、情報通信端末２００と店舗などの情報配信装置１００の距離を測定する方法が、前述の歩数を利用した計測であり、さらに、他の情報通信端末３０５に転送する情報を、歩数から計測した距離を使って、取捨選択してもよい。
【０１００】
具体的には、情報通信端末２００が店舗から所定距離内いる場合は、表示順序決定手段は、時間的に制限のある情報を他の情報通信端末３０５の表示手段の上位に設定し、場所に関する情報を他の情報通信端末３０５の表示手段の下位に設定する。
【０１０１】
一方、情報通信端末２００が店舗から所定距離外にいる場合は、表示順序決定手段は、位置に関する情報を他の情報通信端末３０５の表示手段の上位に設定し、時間的制限のある情報を他の情報通信端末３０５の表示手段の下位に設定してもよい。
【０１０２】
この構成により、情報通信端末２００がＧＰＳなどの距離測定手段を持たない場合でも、情報配信装置１００からの距離を測定することが可能となり、他の情報通信端末３０５に情報を転送する際に、測定した距離によって、情報の表示順序を変化させることができる。したがって、ＧＰＳなどの距離測定手段がない場合でも、送信先の他の情報通信端末３０５を持つユーザに、有益な情報を優先して確認させることができる。
【０１０３】
（実施の形態２）
図１０は、本発明の実施の形態２に係る情報配信装置および第１の情報通信端末、第２の情報通信端末の主要な構成を示すブロック図である。
【０１０４】
本発明の実施の形態２では、店舗に設置された情報配信装置が近距離無線通信を介して、配信情報（店舗の広告情報など）を周囲の情報通信端末に配信し、当該配信情報を受信した情報通信端末が他の情報通信端末に対して、当該配信情報を転送する場合を例にとって説明する。
【０１０５】
なお、情報配信装置は、例えば、店舗に設置された近距離無線通信機能を備えたサーバであり、情報通信端末は、例えば、携帯電話として以下の説明を行う。
【０１０６】
図１０のとおり、情報配信装置１００は、記憶手段１０１と配信情報送信手段１０２を有する。
【０１０７】
また、図１０のとおり、第１の情報通信端末５００は、受信手段２０１、記憶手段２０２、位置情報取得手段２０３、計測手段２０４、検出手段２０５、距離測定手段２０６、制御手段２０９、送信手段２１０を有する。
【０１０８】
なお、情報配信装置１００および第１の情報通信端末５００が有する各構成要素については、実施の形態1および図１に記載の構成要素と同様であるため、同一の符号を付して説明を省略する。
【０１０９】
さらに、図１０のとおり、第２の情報通信端末６００は、受信手段６０１、記憶手段６０２、表示順序決定手段６０３、表示手段６０４を有する。
【０１１０】
受信手段６０１は、例えば、無線ＬＡＮ、Ｂｌｕｅｔｏｏｔｈ（登録商標）などの近距離無線通信により、第１の情報通信端末５００から送信された配信情報、および距離測定手段２０６で測定した情報配信装置１００と第１の情報通信端末５００の距離を受信する。
【０１１１】
記憶手段６０２は、第１の情報通信端末５００から受信した配信情報と情報配信装置１００と第１の情報通信端末５００の距離を記憶する。
【０１１２】
表示順序決定手段６０３は、記憶手段６０２に記憶した、情報配信装置１００と第１の情報通信端末５００の距離を利用して、第２の情報通信端末の表示手段６０４に配信情報を表示するときの順序を決める。
【０１１３】
表示手段６０４は、前記表示順序決定手段６０３で決定された順序で情報を表示する。
【０１１４】
図３および図１０〜１３を用いて、第１の情報通信端末５００が情報配信装置１００から配信情報を受信し、第２の情報通信端末６００に配信情報の送信（転送）をしてから、第２の情報通信端末６００が情報を受信して表示手段６０４に情報を表示するまでの動作について詳細に説明する。
【０１１５】
図３は、本発明の実施の形態２にかかる情報配信装置１００および第１の情報通信端末５００および第２の情報通信端末６００の動作の一例を示す図である。
【０１１６】
また、図１１〜１３は、図３に示した動作の一例を実現するための詳細処理を表したフローチャートである。
【０１１７】
まず、図３において、情報配信装置１００は、配信情報送信手段１０２より、店舗の周辺エリアへ配信情報を送信する。ここで、配信情報の送信は、常時行ってもよいし、予め定めた周期で行ってもよい。
【０１１８】
次に、図１０における第１の情報通信端末５００に相当する情報通信端末２００が、情報配信装置１００から送信された配信情報の受信が可能なエリアの境界線である、情報受信可能エリア境界線３０２の内側に入ると、情報通信端末２００は、受信手段２０１を使って配信情報を受信する（図３の３０１、および図１１のステップｋ００１）。また、記憶手段２０２は、受信手段２０１が受信した配信情報を一旦格納する（図１１のステップｋ００２）。
【０１１９】
ここで、例えば、情報通信端末２００が図３の３０６のように移動した場合、位置情報取得手段２０３は、情報通信端末２００の位置を取得する。（図１１のステップｋ００３）。次に、距離測定手段２０６は、配信情報に含まれる店舗の位置情報と、位置情報取得手段２０３で取得した情報通信端末２００の位置情報とから距離を測定する（図１１のステップｋ００４）。
【０１２０】
次に、情報通信端末２００の配信可能エリア境界線３０４の内側に第２の情報通信端末６００に相当する、他の情報通信端末３０５が存在する場合、情報配信装置１００から情報通信端末２００までの距離が、配信情報に含まれる転送可能距離以内（情報転送可能エリア境界線３０３の内側）であれば（図１１のステップｋ００５、ＹＥＳ）、送信手段２１０は記憶手段２０２に記憶してある配信情報を他の情報通信端末３０５に転送する。
【０１２１】
また、例えば、情報通信端末２００が図３の３０７のように移動した場合、前述と同様に、位置情報取得手段２０３による情報通信端末２００の位置取得（図１１のステップｋ００３）、距離測定手段２０６による距離測定（図１１のステップｋ００４）が行われる。
【０１２２】
しかしながら、情報通信端末２００の配信可能エリア境界線３０４の内側に他の情報通信端末が存在しても、情報配信装置１００からの情報通信端末２００までの距離が、配信情報に含まれる転送可能距離以内（情報転送可能エリア境界線３０３の内側）でない場合（図１１のステップｋ００５、ＮＯ）、送信手段２１０は記憶手段２０２に記憶してある配信情報を他の情報通信端末３０５に転送せずに、位置の確認処理（図１１のステップｋ００３）に戻る。
【０１２３】
次に、第２の情報通信端末６００の動作について説明する。
【０１２４】
第２の情報通信端末６００は、例えば、無線ＬＡＮ、Ｂｌｕｅｔｏｏｔｈ（登録商標）などの近距離無線通信により第１の情報通信端末５００から送信された店舗からの距離を含む情報を受信手段６０１で受信する（図１２のステップｌ００１）。続いて、受信した情報を記憶手段６０２に記憶する（図１２のステップｌ００２）。
【０１２５】
次に、第１の情報通信端末５００から受信した「店舗からの距離」を利用して情報の表示順序を決定する。
【０１２６】
この構成により、前記情報配信装置１００から受信した情報が、前記第１の情報通信端末５００から第２の情報通信端末６００に距離情報とともに転送された後、第２の情報通信端末６００が、その画面上に、受信した情報を表示する際に、より広告効果もしくは第２の情報通信端末６００にとって重要な情報を、第２の情報通信端末６００をもつユーザから見易い上位に表示することができる。また、重要度の低い情報は表示画面の下位に表示することができる。これにより、第２の情報通信端末６００を持つユーザにとって有益な情報を先に確認させることができる。
【０１２７】
図３および図１１および図１２を用いて、具体的な動作について説明する。
【０１２８】
まず、図３における内容変更境界線４００について説明する。内容変更境界線４００は、図３で示した情報受信可能エリア境界線３０２と情報転送可能エリア境界線３０３の間に設定される。
【０１２９】
また、内容変更境界線４００は、第２の情報通信端末６００が、第１の情報通信端末５００から受信した配信情報を表示手段６０４に表示するときに、内容を変化させる位置を示している。
【０１３０】
この動作には、第１の情報通信端末に相当する情報通信端末２００が、情報転送可能エリア境界線３０３の内側にいると判断するとき（図１１のステップｋ００５）に用いた距離を利用する。
【０１３１】
この距離が情報配信装置１００から内容変更境界線４００までの距離を下回る場合（図１２のステップｌ００３、ＹＥＳ）、表示順序決定手段６０３を利用して、表示手段６０４に表示する情報を変化させる。つまり、第２の情報通信端末６００が内容変更境界線４００の内側にいる場合、表示手段６０４に表示する情報の内容を変化させる。
【０１３２】
具体的には、第１の情報通信端末５００から受信した配信情報のうち、時間的制限のある情報（例えば、タイムセール情報など）は、第２の情報通信端末の表示手段６０４の上位に表示すると決定する。一方、店舗のそばにいるときには不要と考えられる情報を（例えば、店舗を探すために必要な住所や地図情報）は、表示手段６０４の下位に表示すると決定する。（図１２のステップｌ００４）。
【０１３３】
そして、上記の処理で決定した順序で、第１の情報通信端末から受信した情報を表示手段６０４に表示する（図１２のステップｌ００６）。
【０１３４】
この構成により、第１の情報通信端末５００から第２の情報通信端末６００に転送された情報の中から、前記情報配信装置からの距離が近いことによる配信効果の高い、時間的制限のある情報、例えばタイムセール情報などを第２の情報通信端末６００の表示手段の上位に表示し、また、距離が近いことによる配信効果、要望が低いと考えられる情報、例えば店舗を探すための位置情報などは、第２の情報通信端末の表示手段の下位に表示する。したがって、第２の情報通信端末６００を持つユーザに、より有益な情報を優先して確認させることができる。
【０１３５】
一方、図３の内容変更境界線４００よりも外側、つまり店舗から離れている場所に第２の情報通信端末６００がいる場合の動作を説明する。
第１の情報通信端末５００から受信した配信情報のうち、店舗から離れた場所にいるときに必要な情報（例えば、地図情報や住所など）は、第２の情報通信端末の表示手段６０４の上位に表示すると決定する。反対に、時間的制限のある情報（例えば、タイムセール情報など）は、第２の情報通信端末の表示手段６０４の下位に表示すると決定する。（図１２のステップｌ００５）。
そして、上記の処理で決定した順序で、第１の情報通信端末から受信した情報を表示手段６０４に表示する（図１２のステップｌ００６）。
【０１３６】
この構成により、第１の情報通信端末５００から第２の情報通信端末６００に転送された情報の中から、前記情報配信装置からの距離が遠いことによる配信効果の高い、例えば店舗を探すための位置情報などを、第２の情報通信端末６００の表示手段画面の上位に表示し、また、距離が遠いことによる配信効果、要望の低いと考えられる時間的制限のある情報、例えばタイムセール情報などは第２の情報通信端末の表示手段の下位に表示する。したがって、第２の情報通信端末６００を持つユーザに、より有益な情報を優先して確認させることができる。
【０１３７】
なお、上記で説明した第１の情報通信端末５００で行う、店舗と第１の情報通信端末の距離測定には、第１の情報通信端末が店舗から離れ始めてからの距離を用いてもよい。
【０１３８】
その動作について、図１３を用いて説明する。
【０１３９】
情報配信装置１００からの情報を、第１の情報通信端末が受信し（図１３のステップｋ００１）記憶する（図１３のステップｋ００２）。その後、検出手段２０５を用いて情報配信装置１００からの電波強度を検出する（図１３のステップｍ００３）。その電波強度が所定値よりも低いかどうか判定する。電波強度が高い場合は（図１３のステップｍ００４、ＮＯ）は電波強度の検出に戻る。電波強度が低い場合には（図１３のステップｍ００４、ＹＥＳ）、第１の情報通信端末５００が情報配信装置１００から離れ始めたと判断し計測手段２０４を使って歩数の計測を開始する（図１３のステップｍ００５）。その歩数から情報配信装置１００と第１の情報通信端末５００の距離を測定し（図１３のステップｍ００６）、その距離が図３の内側である場合（図１３ステップｋ００５、ＹＥＳ）には、その測定距離とともに情報配信装置１００から受信した情報を第２の情報通信端末６００に送信する（図１３ステップｋ００６）。
【０１４０】
第２の情報通信端末６００は、このときに受信した測定距離を、表示手段６０４への配信情報表示順序を決定する動作（図１２のステップｌ００３、ｌ００４、ｌ００５）を行う際に利用してもよい。
【０１４１】
この構成により、第１の情報通信端末５００がGPSなどの距離測定手段を持たない場合でも、情報配信装置１００からの距離を測定することが可能となり、第２の情報通信端末６００に情報を送信する際に、情報配信装置１００と第１の情報通信端末５００の距離を情報として送信することが可能となる。第２の情報通信端末６００は、第１の情報通信端末５００から受信した距離によって、表示順序決定手段６０３によって表示順序を変化させることが可能となる。このような構成により、第１の情報通信端末５００がＧＰＳなどの距離測定手段を持たない場合でも、第２の情報通信端末６００を持つユーザにとって有益な情報を優先して確認させることができる。
【０１４２】
なお、第２の情報通信端末６００がもつ表示順序決定手段６０３では、有益ではない情報を表示手段６０４の下部に表示させると記載したが、有益ではない情報を表示しないという方法をとってもよい。
【産業上の利用可能性】
【０１４３】
本発明は、無駄な情報の配信や受信を回避し、有益な情報の配信・受信することができるといった効果を有し、携帯電話、スマートフォン等の情報通信端末や、複数の情報通信端末へ情報を配信する広告配信サーバ等の情報配信装置への適用が可能である。
【符号の説明】
【０１４４】
１００    情報配信装置
１０１、２０２、６０２    記憶手段
１０２    配信情報送信手段
２００    情報通信端末
２０１、６０１    受信手段
２０３    位置情報取得手段
２０４    計測手段
２０５    検出手段
２０６    距離測定手段
２０７    転送情報選択手段
２０８、６０３    表示順序決定手段
２０９    制御手段
２１０    送信手段
３０１    情報配信装置１００からの情報配信を示す線
３０２    情報受信可能エリア境界線
３０３    情報転送可能エリア境界線
３０４    配信可能エリア境界線
３０５    他の情報通信端末
３０６    情報通信端末２００の店舗情報送信許可エリア境界線３０３の内側への移動を示す線
３０７    情報通信端末２００の店舗情報送信許可エリア境界線３０３の外側への移動を示す線
３０８    情報通信端末２００から他の情報通信端末３０５への情報送信を示す線
４００    内容変更境界線
５００    第１の情報通信端末
６００    第２の情報通信端末
６０４    表示手段
【図１】
2013168761.tif 000003
【図２】
2013168761.tif 000004
【図３】
2013168761.tif 000005
【図４】
2013168761.tif 000006
【図５】
2013168761.tif 000007
【図６】
2013168761.tif 000008
【図７】
2013168761.tif 000009
【図８】
2013168761.tif 000010
【図９】
2013168761.tif 000011
【図１０】
2013168761.tif 000012
【図１１】
2013168761.tif 000013
【図１２】
2013168761.tif 000014
【図１３】
2013168761.tif 000015